【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
ネットワーク通信のための方法であって、
ネットワーク構成器ユニットにおいて、第１のデバイスの第１のワイヤレストランシーバの第１のデバイス能力と前記第１のデバイスの第２のワイヤレストランシーバの第２のデバイス能力とを決定することと、
第２のデバイスの構成と第３のデバイスの構成とを決定することと、
第１の周波数範囲により前記第１のデバイスと前記第２のデバイスとの間でネットワークデータを結合するように前記第１のワイヤレストランシーバを構成することと、ここにおいて、前記第１の周波数範囲が、前記第１のデバイス能力および前記第２のデバイスの前記構成に少なくとも部分的に基づく、
第２の周波数範囲により前記第１のデバイスと前記第３のデバイスとの間でネットワークデータを結合するように前記第２のワイヤレストランシーバを構成することと、ここにおいて、前記第２の周波数範囲が、前記第２のデバイス能力および前記第３のデバイスの前記構成に少なくとも部分的に基づく、
を備える方法。
【請求項２】
前記第１のワイヤレストランシーバと前記第２のワイヤレストランシーバとの間でネットワークデータを結合するようにデータリンクを構成することをさらに備え、特に、
前記第１のワイヤレストランシーバの第１の送信機を無効にすることと、
前記第１のワイヤレストランシーバに結合された前記データリンクから前記ネットワークデータを受信するように前記第２のワイヤレストランシーバを構成することと、
前記第２のワイヤレストランシーバの第２の送信機によって、前記第２の周波数範囲により前記第３のデバイスに前記ネットワークデータを送信することとをさらに備える、
請求項１に記載の方法。
【請求項３】
前記第２のデバイスの前記構成は、前記第２のデバイスにとって利用可能な動作周波数を含み、前記第３のデバイスの前記構成は、前記第３のデバイスにとって利用可能な動作周波数を含み、
特に、前記第１の周波数範囲は、前記第２のデバイスにとって利用可能な前記動作周波数の少なくとも一部分を含み、前記第２の周波数範囲は、前記第３のデバイスにとって利用可能な前記動作周波数の少なくとも一部分を含む、
請求項１に記載の方法。
【請求項４】
前記第３のデバイスに関連する所望のサービス品質を決定することをさらに備え、
前記第２のワイヤレストランシーバを構成することは、前記第３のデバイスに関連する前記所望のサービス品質に少なくとも部分的に基づき、
特に、前記所望のサービス品質は、前記第３のデバイス上で実行されるアプリケーションに少なくとも部分的に基づき、または、
特に、前記第３のデバイスに関連する現在のサービス品質が前記所望のサービス品質を下回るかどうかを決定することをさらに備え、
前記第３のデバイスと前記第１のデバイスとの間で前記ネットワークデータを結合するように前記第２のワイヤレストランシーバを構成することは、前記現在のサービス品質が前記所望のサービス品質を下回るかどうかを決定することに少なくとも部分的に基づき、または、
特に、前記所望のサービス品質は、データスループットレート、ビット誤り率、データ待ち時間および信号対雑音比のうちの少なくとも１つに基づく、
請求項１に記載の方法。
【請求項５】
前記第１のワイヤレストランシーバにとって利用可能な第１のチャネルに関連する第１のチャネル状態を決定することと、前記第２のワイヤレストランシーバにとって利用可能な第２のチャネルに関連する第２のチャネル状態を決定することとをさらに備え、
前記第１のワイヤレストランシーバを構成することは、前記第１のチャネル状態に少なくとも部分的に基づき、前記第２のワイヤレストランシーバを構成することは、前記第２のチャネル状態に少なくとも部分的に基づく、
請求項１に記載の方法。
【請求項６】
前記第３のデバイスが前記第１のデバイスから離れて前記第２のデバイスの方に移動しているかどうかを決定することと、
前記第３のデバイスが前記第１のデバイスから離れて前記第２のデバイスの方に移動していると決定したことに応答して、前記第３のデバイスと前記第２のデバイスとの間でネットワークデータを結合するように前記第２のデバイスを構成することとをさらに備え、
特に、前記第３のデバイスが前記第１のデバイスから離れて前記第２のデバイスの方に移動しているかどうかを決定することは、前記第３のデバイスによって送信された信号に関連する受信信号強度測定値、前記第３のデバイスによって受信された衛星航法データ、および前記第３のデバイス上に実装された動きセンサーのうちの少なくとも１つに少なくとも部分的に基づく、
請求項１に記載の方法。
【請求項７】
前記第３のデバイスが前記第１のデバイスから離れて第４のデバイスの方に移動しているかどうかを決定することと、
前記第３のデバイスが前記第１のデバイスから離れて前記第４のデバイスの方に移動しているかどうかを決定したことに応答して、前記第３のデバイスと前記第４のデバイスとの間でネットワークデータを結合するように前記第４のデバイスを構成することとをさらに備える、
請求項１に記載の方法。
【請求項８】
前記ネットワーク構成器ユニットは、前記第１のデバイス、前記第２のデバイス、および前記第３のデバイスのうちの１つに含まれる、
請求項１に記載の方法。
【請求項９】
第１のワイヤレストランシーバと、
第２のワイヤレストランシーバと、
ネットワーク構成器ユニットとを備える第１のデバイスであって、前記ネットワーク構成器ユニットが、
前記第１のワイヤレストランシーバの第１のデバイス能力と前記第２のワイヤレストランシーバの第２のデバイス能力とを決定することと、
第２のデバイスの構成と第３のデバイスの構成とを決定することと、
第１の周波数範囲により前記第１のデバイスと前記第２のデバイスとの間でネットワークデータを結合するように前記第１のワイヤレストランシーバの構成を決定することと、ここにおいて、前記第１の周波数範囲が、前記第１のデバイス能力および前記第２のデバイスの前記構成に少なくとも部分的に基づく、
第２の周波数範囲により前記第１のデバイスと前記第３のデバイスとの間でネットワークデータを結合するように前記第２のワイヤレストランシーバの構成を決定することと、ここにおいて、前記第２の周波数範囲が、前記第２のデバイス能力および前記第３のデバイスの前記構成に少なくとも部分的に基づく、を行うように構成される、
第１のデバイス。
【請求項１０】
前記第１のワイヤレストランシーバと前記第２のワイヤレストランシーバとの間でネットワークデータを結合するように構成されたデータリンクをさらに備え、
特に、前記ネットワーク構成器ユニットは、
前記第１のワイヤレストランシーバの第１の送信機を無効にすることと、
前記第１のワイヤレストランシーバに結合された前記データリンクから前記ネットワークデータを受信するように前記第２のワイヤレストランシーバを構成することと、
前記第２のワイヤレストランシーバの第２の送信機によって、前記第２の周波数範囲により前記第３のデバイスに前記ネットワークデータを送信することとを行うようにさらに構成され、
さらに、特に、前記第１のワイヤレストランシーバの動作周波数内で干渉が存在するときに、前記第１の送信機は無効にされる、
請求項９に記載の第１のデバイス。
【請求項１１】
前記ネットワーク構成器ユニットは、前記第２のデバイスにとって利用可能な動作周波数に少なくとも部分的に基づいて前記第１のワイヤレストランシーバの前記構成を決定することと、前記第３のデバイスにとって利用可能な動作周波数に少なくとも部分的に基づいて前記第２のワイヤレストランシーバの前記構成を決定することとを行うように構成され、
特に、前記第１の周波数範囲は、前記第２のデバイスにとって利用可能な前記動作周波数の少なくとも一部分を含み、前記第２の周波数範囲は、前記第３のデバイスにとって利用可能な前記動作周波数の少なくとも一部分を含む、
請求項９に記載の第１のデバイス。
【請求項１２】
前記ネットワーク構成器ユニットは、前記第２のデバイスに関連する所望のサービス品質に少なくとも部分的に基づいて前記第１のワイヤレストランシーバの前記構成を決定するように構成され、
特に、前記ネットワーク構成器ユニットは、前記第２のデバイスに関連する前記所望のサービス品質を決定するように構成され、または、
特に、前記ネットワーク構成器ユニットは、
前記第２のデバイスに関連する現在のサービス品質が前記第２のデバイスに関する前記所望のサービス品質を下回るかどうかを決定することと、
前記現在のサービス品質が前記所望のサービス品質を下回るかどうかに少なくとも部分的に基づいて、前記第１のワイヤレストランシーバの前記構成を決定することとを行うように構成される、
請求項９に記載の第１のデバイス。
【請求項１３】
前記ネットワーク構成器ユニットは、通信チャネルに関連するチャネル状態に少なくとも部分的に基づいて、前記第１のワイヤレストランシーバおよび前記第２のワイヤレストランシーバのうちの少なくとも１つを構成するようにさらに構成される、請求項９に記載の第１のデバイス。
【請求項１４】
前記第２のワイヤレストランシーバの第２の送信機が無効にされたときに前記第１のワイヤレストランシーバの第１の送信機を介してネットワークデータを送信するために、前記第２のワイヤレストランシーバから前記第１のワイヤレストランシーバに前記ネットワークデータを結合するように構成されるデータリンクをさらに備える、請求項９に記載の第１のデバイス。
【請求項１５】
コンピュータ上で実行されるときに、請求項１乃至８のうちのいずれかのステップを実行するためのコンピュータ実行可能な命令を備えるコンピュータプログラム。